(57)【要約】【課題】  出品者の意向を取り入れ、参加者全員が活発に参加できるようなオークションを可能にすること。【解決手段】  通信ネットワークを介して接続される利用者端末からの要求に応答してオークション処理を実行するオークションシステムであって、出品者によって設定される評価条件データを含む出品情報を入力する出品情報入力手段と、前記評価条件に基いて提示される評価項目に対する回答および入札価格を含む入札情報を入力する入札情報入力手段と、前記出品情報および前記入札情報に基づいて落札者を決定する売買条件演算手段と、各入札者の比較用データを入札状況提供先の入札者の回答の配点情報で補正して入札価格を演算し、該入札者の端末へこの演算結果を各入札者の入札価格として送信する入札状況提供手段とを備える。【選択図】      図１
2005208776.tif 000002
【特許請求の範囲】
【請求項１】
通信ネットワークを介して接続される利用者端末からの要求に応答してオークション処理を実行するオークションシステムであって、
出品者によって設定される評価条件データを含む出品情報を入力する出品情報入力手段と、
前記評価条件に基いて提示される評価項目に対する回答および入札価格を含む入札情報を入力する入札情報入力手段と、
前記出品情報および前記入札情報に基づいて落札者を決定する売買条件演算手段と、
を備えたことを特徴とするオークションシステム。
【請求項２】
前記評価条件データは、評価項目ごとに一またはニ以上の選択肢にそれぞれ評価情報を付されたデータであり、
前記回答は、評価項目ごとの前記選択肢識別情報であることを特徴とする請求項１記載のオークションシステム。
【請求項３】
前記売買条件演算手段は、前記入札情報入力手段によって入力された回答に基づき前記評価条件データの評価情報を参照して入札者を選別すると共に選別された入札者の評価項目ごとの配点情報と入札価格情報をもとに落札者を決定することを特徴とする請求項２記載のオークションシステム。
【請求項４】
前記評価情報は、評価項目の各選択肢に関連付けられた配点情報であって、
前記売買条件演算手段は、前記配点情報に基づいて入札価格を補正して比較用データを演算し、この比較用データに従って落札者を決定することを特徴とする請求項２記載のオークションシステム。
【請求項５】
各入札者の比較用データを入札状況提供先の入札者の回答の配点情報を用いて補正して入札価格を演算し、該入札者の端末へこの演算結果を各入札者の入札価格として送信する入札状況提供手段を備えることを特徴とする請求項４記載のオークションシステム。
【請求項６】
利用者端末と通信ネットワークを介して接続されるサーバを用いてオークションを行うオークション方法であって、
出品者によって設定される評価条件データを含む出品情報を入力するステップと、
前記評価条件に基いて提示される評価項目に対する回答および入札価格を含む入札情報を入力するステップと、
前記入力された回答に基づき前記評価条件データの評価情報を参照して入札者を選別すると共に選別された入札者の評価項目ごとの得点と入札価格をもとに落札者を決定する処理と、
を含むことを特徴とするオークション方法。
【請求項７】
各入札者の比較用データを入札状況提供先の入札者の回答の配点情報を用いて補正して入札価格を演算し、該入札者の端末へこの演算結果を各入札者の入札価格として送信するステップを含むことを特徴とする請求項６記載のオークション方法。
【請求項８】
利用者端末と通信ネットワークを介して接続されるサーバ上で動作するプログラムであって、
出品者によって設定される評価条件データを含む出品情報を入力する処理と、
前記評価条件に基いて提示される評価項目に対する回答および入札価格を含む入札情報を入力する処理と、
前記入力された回答に基づき前記評価条件データの評価情報を参照して入札者を選別すると共に選別された入札者の評価項目ごとの得点と入札価格をもとに落札者を決定する処理と、
をコンピュータに実行させるためのプログラム。
【発明の詳細な説明】
【技術分野】
【０００１】
本発明は、通信ネットワークを介してオークションを実行する技術に係り、特に出品者の意向を反映させて落札者を決定するオークションシステム、オークション方法、および、プログラムに関する。
【背景技術】
【０００２】
従来、通信ネットワークを介して円滑、安全にオークションを行う技術、あるいは、オークションの活性化を図るための技術に関し種々の提案がなされている。
また、出品者の意向を反映させたオークションとしては、たとえば、特開２００３−２７１８４６号公報の「オークションシステム及びオークション方法」では、出品者の住所に近い落札者を決定し、物品の配達費用を抑制するため、オークションの管理サーバは、オークション参加者の位置情報を携帯電話網から取得してデータベースに記憶し、入札価格とその位置情報とに基づいて、入札に加わったオークション参加者の中から落札者を決定するシステム及び方法が提案されている。
【０００３】
ところで、価格主体のオークションを出品者（売主）の意向を取り入れて、落札者を決定できるようにすると出品者、入札者（買主）双方にメリットがある。たとえば、出品者は、長年使用していた品物を出品する場合、出品者はその品物に愛着を持ち、どのような人あるいは目的で使用されるかということに関心を持つ場合がある。このようなとき、出品者自身の意向を反映させた形で円滑にオークションを行うことができれば、オークションの活性化につながる。一方、入札者は、出品物の使用目的などが出品者の意向と合致すると、品物を安く購入できる可能性がある。このため、物の有効利用の促進を図ることができ、ひいては資源保護にもつながる。
【特許文献１】特開２００３−２７１８４６号公報
【発明の開示】
【発明が解決しようとする課題】
【０００４】
しかしながら、出品者の意向をオークション参加者に知らせたのでは、虚偽の回答などによってオークションの信頼性が低下する。特に、サーバ上でオークションを行う場合は、お互いの顔が分からないためその可能性が大きい。一方、オークションを閉鎖型（クローズド）にして、入札状況等を参加者に知らせないようにすると、参加者はいくらで落札されたのか知ることができず、オークション自体の活性化を阻害することになる。
【０００５】
本発明は、かかる問題点に対処するためにさされたもので、出品者の意向を取り入れたオークションであって、参加者全員が活発に参加できるようなオークションシステム、オークション方法、および、プログラムを提供することを目的とする。
【課題を解決するための手段】
【０００６】
上記目的を達成するため、本発明に係わるオークションシステムは、通信ネットワークを介して接続される利用者端末からの要求に応答してオークション処理を実行するオークションシステムであって、出品者によって設定される評価条件データを含む出品情報を入力する出品情報入力手段と、前記評価条件に基いて提示される評価項目に対する回答および入札価格を含む入札情報を入力する入札情報入力手段と、前記出品情報および前記入札情報に基づいて落札者を決定する売買条件演算手段と、を備えたことを特徴とする。
【０００７】
ここで、「出品者」とは、広くオークション対象の提供者を意味し、売主に限らず募集者や代理人なども含む趣旨である。またオークション対象も品物に限らず、動植物や権利（債権）、労働、サービスなど取引や募集の対象となるもの全てを含む趣旨である。
【０００８】
また、前記評価条件データは、評価項目ごとに一またはニ以上の選択肢にそれぞれ評価情報を付されたデータであり、前記回答は、評価項目ごとの前記選択肢の識別情報であることを特徴とする。
ここで、評価情報とは、配点やコードなど広く評価項目のランク付けや処理が可能な情報を意味する。
【０００９】
好ましくは、前記売買条件演算手段は、前記入札情報入力手段によって入力された回答に基づき前記評価条件データの評価情報を参照して入札者を選別すると共に選別された入札者の評価項目ごとの配点情報（ポリシーマッチングポイント）と入札価格をもとに落札者を決定するようにするとよい。
【００１０】
これにより、出品者の意向（ポリシー）に合う入札者のみに落札されることが可能となる。なお、入札者の選別は、入札者の回答のみでなく、予め登録された利用者属性情報をもとに選別を行うようにしてもよい。
【００１１】
また、前記評価情報は、評価項目の各選択肢に関連付けられた配点情報であって、前記売買条件演算手段は、前記配点情報に基づいて入札価格を補正して比較用データを演算し、この比較用データに従って落札者を決定することを特徴とする。
【００１２】
より好ましくは、各入札者の比較用データを入札状況提供先の入札者の回答の配点情報を用いて補正して入札価格を演算し、該入札者の端末へこの演算結果を各入札者の入札価格として送信する入札状況提供手段を備えるようにするとよい。
【００１３】
入札者ごとに入札価格を補正して提示するため、入札者に評価項目がどのように重み付けされているかを知られずにオークションを行うことが可能となる。
【００１４】
また、本発明に係わるオークション方法は、利用者端末と通信ネットワークを介して接続されるサーバを用いてオークションを行うオークション方法であって、出品者によって設定される評価条件データを含む出品情報を入力するステップと、前記評価条件に基いて提示される評価項目に対する回答および入札価格を含む入札情報を入力するステップと、  前記入力された回答に基づき前記評価条件データの評価情報を参照して入札者を選別すると共に選別された入札者の評価項目ごとの配点情報と入札価格をもとに落札者を決定する処理と、を含むことを特徴とする。
【００１５】
好ましくは、各入札者の比較用データを入札状況提供先の入札者の回答の配点情報を用いて補正して入札価格を演算し、該入札者の端末へこの演算結果を各入札者の入札価格として送信するステップを含むようにするとよい。
【００１６】
また、本発明に係わるプログラムは、利用者端末と通信ネットワークを介して接続されるサーバ上で動作するプログラムであって、出品者によって設定される評価条件データを含む出品情報を入力する処理と、前記評価条件に基いて提示される評価項目に対する回答および入札価格を含む入札情報を入力する処理と、前記入力された回答に基づき前記評価条件データの評価情報を参照して入札者を選別すると共に選別された入札者の評価項目ごとの得点と入札価格をもとに落札者を決定する処理と、をコンピュータに実行させることを特徴とする。
【発明の効果】
【００１７】
本発明によれば、入札価格のみでなく出品者の意向を加味して、より出品者の意向に沿った入札者に落札可能となるため、オークションの活性化を図ることが可能となる。
【発明を実施するための最良の形態】
【００１８】
以下、本発明の実施の形態を説明する。図１は本発明の第１の実施の形態に係わる（オークションシステム）及びこのシステムと通信を行う利用者端末２（売主）及び利用者端末３（入札者）の機能ブロック図である。図１において、オークションシステム１は、通信ネットワーク４を介して利用者端末２（売主）、利用者端末３（入札者）と繋がっている。ここでオークションシステム１はオークションサービス事業者（以下、サービス事業者という）により管理、運営されている。また、利用者端末２（売主）及び利用者端末３（入札者）はサービス事業者の提供するサービスを希望する利用者の一または二以上の端末である。
【００１９】
また、オークションシステム１は、通信ネットワーク４を介してデータの送受信を行うための送受信部１３、送受信部から受け取ったデータの処理を行う中央演算処理部１４、データを記憶するための記憶部１６から構成されている。
【００２０】
さらに、中央演算処理部１４は、送受信部１３との間でデータの受け渡しを行う送受信処理手段（機能）５９、送受信部１３を介して入力された利用者情報を登録する利用者情報登録手段（機能）４３、出品に関する情報を登録する出品情報入力手段（機能）４４、入札に関する情報を入力する入札情報入力手段（機能）４５、入札情報入力手段（機能）４５により入力された入札情報と出品情報を演算し入札順位を算出する売買条件演算手段（機能）４６、入札者や売主に入札状況や落札情報を提供する入札状況提供手段（機能）４７、および、アンケートの作成を支援するポリシー作成支援手段（機能）４８を備えている。
【００２１】
また、記憶部１６は、利用者に関する情報を保存する利用者情報データベース（ＤＢ）６１、出品に関する情報を保存する出品情報データベース（ＤＢ）６２、売買に関する情報を保存する売買データベース（ＤＢ）６３、ＷＥＢ上で公開する売買データを保存するＷＥＢコンテンツデータベース（ＤＢ）６４を有している。
【００２２】
利用者端末２（売主）は、通信ネットワーク４を介してデータの送受信を行うための送受信部２４、送受信部２４からのデータの処理を行う中央演算処理部２３、中央演算処理部２３との間でデータの入出力を行う入力部２１と表示部２２から構成されている。
【００２３】
利用者端末３（入札者）は、通信ネットワーク４を介してデータの送受信を行うための送受信部３４、送受信部３４からのデータの処理を行う中央演算処理部３３、中央演算処理部３３との間でデータの入出力を行う入力部３１と表示部３２から構成されている。
【００２４】
以上の構成において、次に図２を用いて、入札者、取引仲介業者、売主の取引の流れを説明する。
まず、入札者および売主は利用者から取引仲介業者へのポリシーオークションシステム利用申込みがあると、（Ｓ１０１、Ｓ１０２）利用者の個人情報が利用者情報ＤＢ６１に登録される（Ｓ１０３）。
【００２５】
そして、利用者のオークション出品申し込みにより（Ｓ１０４）、出品情報ＤＢ６２にオークション出品情報が登録される（Ｓ１０５）。なお、オークション出品申し込みは、一般的には利用者が利用者端末（売主）２によりインターネット等の通信ネットワーク４を介して、ポリシーオークションシステム１にアクセスして出品情報入力することにより行われる。次に、取引仲介業者は出品情報入力が行われた商品のポリシーオークションを開催する（Ｓ１０６）。なお、オークションの開催はポリシーオークションシステム１に出品情報を掲載（Ｓ１０７）することにより行われる。そして、利用者のオークション入札情報入力により（Ｓ１０８）、売買ＤＢ６３に入札情報が登録される。利用者が入力した入札情報は入札情報入力手段４５により売買ＤＢ６３へ保存される（Ｓ１０９）。入札開始後、取引仲介業者は出品情報入力時に売主が入力したポリシー（評価項目）を参照し、重み付けを行い、利用者情報および入札情報などの売買情報を演算し入札最高ポイント、入札順位を算出する（Ｓ１１０）。
【００２６】
算出された入札最高ポイント、入札順位は売買ＤＢ６３に保存され、保存された売買データはホームページにアクセスする利用者毎に入札価格部分を加工しＷＥＢコンテンツデータベース（ＤＢ）６４に保存されホームページ上で一般公開される（Ｓ１１１〜Ｓ１１３）。取引仲介業者はオークションの終了時にホームページ上で利用者に対してオークションの終了を通知する（Ｓ１１５）。その後、オークションの終了時、すなわち落札時に（Ｓ１１４）、入札最高ポイントで入札を行った入札者に落札の確認を送信し、売主に落札ポイントおよび落札した利用者の利用者情報を送信する（Ｓ１１６）。
【００２７】
次に、オークションシステム１の動作を詳述する。
［１．情報登録段階］
<１−１．利用者情報登録>
オークションシステム１において、利用者情報は送受信部１３を介して入力され、送受信処理手段５９により記憶部１６の利用者情報ＤＢ６１に登録される。図３は、利用者情報ＤＢ６１のデータ構成例である。
この図において、利用者情報ＤＢ６１は、利用者ごとに利用者ＩＤ（識別番号）が付されこれに関連付けられた、利用者名、年齢、性別、住所、電話番号、メールアドレス、パスワード、などの情報が保存されている。
【００２８】
<１−２．出品情報入力処理>
利用者（売主）からのオークション出品申込みにより、出品情報は利用者端末２（売主）から通信ネットワーク４を介してオークションシステム１の送受信部１３および送受信処理手段５９により受信処理され、出品情報入力手段４４により、記憶部１６の出品情報ＤＢ６２に記憶される。
【００２９】
図４は、出品情報ＤＢ６２のデータ構成を示した図である。この図において、オークションの識別用にオークションＩＤ、（識別番号）が付され、これに関連付けられた商品、商品説明、出品者（売主）、画像イメージ等の情報が記憶されている。
また、オークション入札のための情報としてポリシー情報、最低落札価格、入札開始日時、入札終了日時、が記憶されている。
【００３０】
ポリシー情報はオークション出品商品の入札時に入札価格に対し重み付けを行うための評価表（ポリシーテーブル）である。データ構造としては、ポリシーテーブルを変動領域に作成し、ポリシー情報エリアには、そのポリシーテーブルのアドレスを格納するようにすると、アンケートのデータ量に対して柔軟に対応することができる。
【００３１】
なお、商品は品物のほか、植物、ペット、権利なども出品登録できる。また、ポリシー情報の設定によってオークション参加可能な利用者を限定することもできる。また、オークション参加制限は通常、利用者情報ＤＢに登録された年齢、性別、住所などの利用者情報の項目によって制限することとするが、利用者（売主）と取引仲介業者のオプション契約により一定の条件を満たした利用者（入札者）に限定して電子メールなどで取引仲介業者がオークション参加を促しても良い。
【００３２】
図５は出品情報ＤＢ６２に記憶されているポリシーテーブルの一例である。ここではこのオークションの参加資格とアンケートＮＯ．１の評価項目として使用目的、アンケートＮＯ．２の評価項目として使用児童性別、アンケートＮＯ．３の評価項目として使用者年齢が設けられており、それぞれに対し項目ごとの配点がなされている。配点において利用者（売主）のポリシーに全くあわず、入札価格がいかに高くてもこの回答を入力した利用者は入札できないという項目には特定の値またはコード（たとえば「ー１」という数値）が設定されており、「アンマッチ」を意味するものである。「アンマッチ」という回答を選択した利用者は入札を続行することはできない。なお、この配点に基づいて入札者が得る得点または得点の合計をポリシーマッチングポイント（または、単にマッチングポイント）という。
【００３３】
<１−３．ポリシー作成支援処理>
ポリシーの作成にあたってはシステムの用意したひな型より選択するようにしても良い。このポリシー作成支援機能によりシステム利用の利便性が向上する。
図６はポリシー作成支援手段４８のフローチャ−トである。この図において、まず利用者はひな型を選択する（Ｓ４０１）。評価項目を削除する必要がある場合は（Ｓ４０２）、評価項目の削除を行い（Ｓ４０３）、削除の必要のない場合は評価項目の設定に進む。そして、ひな型に評価項目がある場合は評価項目の選択を行う（Ｓ４０４、Ｓ４０６）。評価項目の設定で選択できる項目がない場合は手入力による評価項目の設定を行う（Ｓ４０５）。
【００３４】
次に回答群の設定に進み、選択できる回答群があった場合は回答群の選択を行う（Ｓ４０７、Ｓ４０９）。選択できる回答群がない場合は手入力を行う（Ｓ４０８）。  そして、個別回答追加の必要がある場合は、個別回答の設定へ進み、個別回答追加の必要がない場合は終了する（Ｓ４１０）。個別回答の設定では、ひな型によって個別回答が選択できる場合は個別回答の選択を行い（Ｓ４１１、Ｓ４１３）、個別回答が選択できない場合は手入力による個別回答の追加を行う（Ｓ４１２）。
【００３５】
次に、評価項目および評価項目のポイント設定画面について説明する。
（設定例１）
図７ａはポリシー評価項目選択の画面である。この図において利用者は評価項目の種別（使用者、使用場所、使用目的など）のうち設定対象の項目を選択する。次に図７ｂの画面で評価項目の回答群の選択を行う。ここでは福祉施設、病院、介護関係ＮＰＯ、ボランティア団体という回答群を選択している。評価項目についての回答群の選択を終了すると図７ｃに例示する画面においてポイントの最高値を設定する。ここではポイントの最高値８を選択している。そして、図７ｄの画面の例のように「８」を最高値とした評価項目ポイントが複数提示される。ここでは、Ｃ８、Ｄ６、Ａ４、Ｂ２という配点を選択している。なお、アルファベットは、図７ｂの各項目に対応している。そして、図７ｅの画面により評価項目ポイントの設定を確認し終了する。
【００３６】
（設定例２）
評価項目のデータ型を図８ａの設定画面において設定する。その後、図８ｂにおいて使用者年齢の最高ポイント年齢と最低ポイント年齢を設定する。
ポイントの設定は最高ポイントの年齢と最低ポイントの年齢どちらか一方のみ設定しても良い。ポイント設定が終了すると図８ｃのポイントの分布パターンを選択し、ポイントの配点設定を行い、図８ｄの画面で評価の重み（ポイントの最高値）を設定する。そして、図８ｅにおいてアンケート項目における項目の範囲およびポイントを確認する。
【００３７】
［２．入札段階］
<２−１．入札情報入力処理>
利用者（入札者）は、利用者端末３（入札者）から通信ネットワーク４を介しオークションシステム１へオークション利用申し込み時に与えられた利用者ＩＤを入力し、アクセスすることにより、オークションへ参加する。
この時入力した利用者ＩＤから利用者ＤＢの利用者情報と、出品情報登録時に設定したポリシー情報のオークション参加者資格（会員カテゴリー）が一致したオークションだけが抽出され、オークション一覧画面に表示される。
【００３８】
図９ａ、図９ｂにおいて、オークションKの対象が男性利用者限定であり、オークションＤ、Ｅ、Ｇの対象が女性利用者限定である場合は以下のようになる。
まず、図９ａは男性の利用者がオークション一覧画面を表示させた場合の画面図であり、図９ｂは女性の利用者がオークション一覧画面を表示させた場合の画面図である。
図９ａでは女性対象のオークションＤ，Ｅ，Ｇは表示されず、図９ｂでは男性対象のオークションＫは表示されない。利用者（入札者）はオークション一覧画面から参加希望オークションを選択する。
【００３９】
次に利用者はオークションごとに設けられたアンケートに回答し入札価格を入力する。
入力された入札情報は送受信部１３、送受信処理手段５９を介して入札情報入力手段４５により記憶部１６の売買ＤＢ６３に登録される。
また、利用者（入札者）により入札情報の入力が一度でも行われると入札価格、支払い方法以外は売主が特に変更を許可した項目を除き変更することができない。
図１０は、売買ＤＢ６３のデータ構成を示した図である。図１０において、売買ＤＢ６３は、オークション識別のためのオークションＩＤ、売買データ格納フィールド作成のためにオークション参加人数が記憶されている。
売買データとしてオークション参加人数分、入札者、利用者ＩＤ、アンケート回答データ、入札価格、補正入札ポイントデータなどの情報が保存されている。売買ＤＢ６３には、この他、アンケート回答データから求めたポリシーマッチングポイントを格納するようにしてもよい。
【００４０】
図１１はアンケート回答データの一例である。
アンケート回答データはオークションごと入札者ごとに記憶されており、上記、ポリシーテーブル図５の評価項目である使用目的、使用児童性別、使用者年齢に対する回答としてアンケートＮＯ．とそれに対応する回答が設けられている。
ここではアンケートＮＯ．１の回答として選択項目１（実子育児）、アンケートＮＯ．２の回答として選択項目１（男児）、アンケートＮＯ．３の回答として選択項目３（３歳）という情報が記憶されている。この夫々の回答に対してポリシー作成支援手段によって予め設定された配点がマッチングポイントとして加算されるのである。
【００４１】
<２−２．売買条件演算処理>
次に、売買条件演算手段４６の動作を図１２のフローチャートを用いて説明する。
取引仲介業者は利用者のオークションシステム１への入札情報入力により入札者のデータ保存領域を作成する（Ｓ２０１）。そして、売買条件演算手段４６により入札情報入力処理で売買ＤＢ６３に登録された入札情報  利用者（入札者）情報およびアンケート回答データ）を利用者（売主）が出品情報ＤＢ６２に登録したポリシーテーブルを参照し、アンケートの回答にー１があれば入札ポイントにアンマッチを入力し終了する（Ｓ２０２、Ｓ２０３、Ｓ２０４）。
【００４２】
次に、各アンケートの回答ポイントを加算していき（Ｓ２０５）、全項目につき加算した回答ポイントを合計（Ｓ２０６）することによりマッチングポイントの合計を算出する。この算出されたマッチングポイントと、入札価格を合算することにより補正入札ポイントを求める（Ｓ２０７、Ｓ２０８）。
【００４３】
なお、上記ステップＳ２０３、Ｓ２０４においてポイント合計時にー１というポイントがあった場合はアンマッチとして入札価格にかかわらず入札不可能となる。
【００４４】
その後、入札ポイントの値の高い者から順位付けが行われ、入札状況テーブルが作成される。この入札状況テーブルは、売買ＤＢ６３に保存される。
以下の式により補正入札ポイント（入札価格補正データ）を求める。
【００４５】
補正入札ポイント＝入札価格＋ポリシーマッチングポイント（合計）  ・・・（１）
【００４６】
図１３は売買条件演算手段４６により作成された入札状況テーブルの一例である。
入札状況テーブルはオークションＩＤごとに、入札者、順位、入札価格、ポリシーマッチングポイント、補正入札ポイントなどの情報で構成されている。
たとえば、入札状況テーブルデータ１としては、オークションＩＤ「×××１」、このＩＤに関連付けて、入札者、○×一男、順位  １、入札価格  １２００円、ポリシーマッチングポイント  １２０、補正入札ポイント  １３２０という情報が記憶されている。その他のオークションＩＤについても同様である。
また、利用者（入札者）へ送信される入札状況送信データは当該オークションにおける最高入札ポイント、入札価格、および、入札ポイントなどである。
このとき、アンマッチとなった利用者へは「アンマッチ  売主のポリシーに合いませんでした。」というデータが送信される。
【００４７】
図１４はオークション参加者へ通知する入札状況の情報である。たとえば、○×一男氏へは、オークションの最高入札ポイント「１３２０」、および、同氏の入札価格「１２００」と補正入札ポイント「１３２０」が送信される。
【００４８】
<２−３．入札状況提供処理>
上記、売買条件演算手段４６により演算、作成された入札情報テーブルの入札に関する各データは入札状況提供手段４７によりＷＥＢコンテンツＤＢ６４へ送られる。
利用者より入札状況の情報要求があった場合、入札状況提供手段４７によりＷＥＢ上で提供される。また、利用者の希望により図１４の入札状況送信データが利用者のメールアドレスへ送信される。
【００４９】
情報提供業者は入札状況提供手段４７により出品情報ＤＢ６２に記憶されているオークションの期日の到来をもってＷＥＢコンテンツＤＢ６４にオークション終了の情報が送られる。これにより、ホームページ上でのオークション終了の通知、または利用者ＤＢ６１に登録されている利用者の電子メールアドレスにオークションの終了のメールを送信することでオークションの終了を行う。
その後、オークション終了時に補正入札ポイントの一番高い利用者（入札者）に落札確認の電子メールが送信される。同時に売主に落札価格、落札した利用者の利用者情報、および、入札者のアンケート回答が送信される。なお、出品数が複数あるときは、補正入札ポイントの上位から出品数が０になるまで落札される。
【００５０】
本実施の形態によれば、オークションにおける入札価格とポリシーマッチングポイントの設定、ポリシー情報によるオークション参加可能者の制限およびアンケート項目に対する配点によって、入札価格だけで入札が行われるだけでなく、利用者（売主）のポリシーに沿った条件の利用者（入札者）が入札することができる。
【００５１】
次に第２の実施の形態を説明する。本実施の形態は、第１の実施の形態とは異なるポリシーマッチング処理を行うものである。本実施の形態の構成は、図１と同様であるので、同一要素には同一符号を付し説明を省略する。
【００５２】
また、図１８は、出品情報ＤＢ６２のデータ構成を示した図である。図４に対して重み比率を追加している。この重み比率は、入札価格に対してポリシー情報がどの位の比重を占めるかを決める割合である。たとえば、初期設定では１０％の値に定しておき、売主が出品の申し込みを行うときに任意に変更できるようにする。
【００５３】
ポリシー情報はオークション出品商品の入札時に入札価格に対し重み付けを行うための評価表（ポリシーテーブル）である。なお、重み比率は、アンケート項目ごとあるいは、アンケートグループごとに設けるようにしてもよい。
【００５４】
次に、本実施の形態におけるオークションシステム１の動作の詳細を説明する。なお、１−１．利用者情報登録、１−２．出品情報入力、２−１．入札情報入力処理、の動作については同一であるので説明を省略する。
【００５５】
<売買条件演算処理>
図１５は売買条件演算処理のフローチャートである。この図において取引仲介業者は売買条件演算手段４６により、入札情報入力処理で売買ＤＢ６３に登録された入札情報（利用者（入札者）情報およびアンケート回答データ）を利用者（売主）が出品情報ＤＢ６２に登録したポリシーテーブルを参照し、マイナスポイントがあった場合、補正入札ポイントデータにアンマッチを入力し終了する（Ｓ３０２、Ｓ３０３）。
各配点（ポイント）を加算して、全配点を合計することによりポリシーマッチングポイントを算出する（Ｓ３０４、Ｓ３０５）。算出されたポリシーマッチングポイントと利用者（売主）により入力され出品情報ＤＢ６２に記憶されている「重み比率」と利用者（入札者）により入力され売買ＤＢ６３に保存されている「入札価格」を売買条件演算手段４６により抽出し（Ｓ３０６、Ｓ３０７）、下記（２）式および（３）式によって補正入札ポイントを求める（Ｓ３０８、Ｓ３０９）。
【００５６】
補正入札ポイント＝入札価格×マッチング係数                        ・・・（２）
【００５７】
ここで、
マッチング係数＝１＋重み比率×ポリシーマッチングポイント（合計）  ・・・（３）
【００５８】
上記（２）式によって算出された補正入札ポイントの値を降順にソートして、当該オークションの順位を求める。
以上の手法で算出された各データにより入札状況テーブルが作成され売買ＤＢ６３に格納される（Ｓ３１０）。
【００５９】
図１６は売買条件演算手段４６によって作成された入札状況テーブルの一例である。
入札状況テーブルはオークションＩＤと、各ＩＤに関連付けられて入札者、順位、入札価格、補正入札ポイント、マッチング係数などの情報で構成されている。
【００６０】
<入札状況提供処理>
上記、売買条件演算手段４７により入札価格に重み付けがなされ、新しい入札価格とした入札状況の情報提供要求が利用者端末２（売主）よりなされた場合は入札状況提供手段４７によりＷＥＢコンテンツＤＢ６４へ入札状況テーブル図１６の入札状況データが送られる。ただし、入札状況の情報提供要求が利用者端末３（入札者）よりなされた場合は入札状況提供手段４７によりＷＥＢコンテンツＤＢ６４へ、以下の演算により補正を施された入札状況送信データが送られる。
【００６１】
図１７はオークション参加者（入札者）へ通知する入札状況の情報である。
オークション参加者へ送信する入札状況の情報は入札状況提供手段４７によって以下の式により入札者ごとに入札価格が補正される。
【００６２】
入札状況送信データ＝各入札者の補正入札ポイント／送信先入札者のマッチング係数
・・・（４）
【００６３】
たとえば、○×一男氏へは、××太郎の入札価格として１０５０（＝１６８０／１．６）、××花子の入札価格として１１６９（＝１８７０／１．６）、および、同氏の入札価格として１２００（＝１９２０／１．６）という情報が送信される。
【００６４】
サービス事業者は第１の実施形態と同様、入札状況提供手段４７により出品情報ＤＢ６２に記憶されているオークションの期日の到来をもってオークションの終了を行い、その時点で入札価格が一番高い入札を行った利用者を落札者とする。その後、利用者（落札者）に落札確認のメールを送信する。同時に利用者（売主）に落札価格および落札した利用者の利用者情報が送信される。
【００６５】
これにより、入札者は、自己の入札価格を基準として、他の入札者の入札状況を把握することができる。このため、自分がどれくらい加算すれば自分に落札されるかを知ることができる。
【００６６】
本実施の形態によれば、各入札者にはその者の入札価格がそのまま提示されるため、売主（出品者）のポリシーに合っているか否かを意識せずにオークションの参加が可能となる。
【００６７】
なお、本発明は上述した実施形態に限定されるものではなく、その要旨を逸脱しない範囲内において、種々変形して実施することができる。たとえば、入札価格としては、電子マネーやサイトチップを用いることも可能である。また、上記の説明では、商品のオークションを例に挙げて説明したが、本発明はこれに限らず、動植物や権利（債権）、労働、サービスなど取引や募集の対象となるもの全てに適用可能であることは明白である。さらに、出品者としては、商品等の売主に限らずイベントなどへの募集者や代理人なども本発明によるオークションサービスを利用することができる。
【図面の簡単な説明】
【００６８】
【図１】本発明の第１の実施の形態におけるオークションシステムの構成図である。
【図２】本発明の第１の実施の形態におけるオークションの業務フロー図である。
【図３】図１の利用者情報ＤＢの例を示す図である。
【図４】図１の出品情報ＤＢのデータ構成図である。
【図５】図１の出品情報ＤＢに保存されているポリシーテーブル(評価表)のデータ例を示す図である。
【図６】図１のポリシー作成支援手段の処理手順を示すフローチャートである。
【図７ａ】図１のポリシー作成支援手段によって利用者（売主）の端末に表示される評価項目選択の画面図である。
【図７ｂ】評価項目回答の選択を行う画面図である。
【図７ｃ】評価項目のポイントの最大値の設定を行う画面図である。
【図７ｄ】評価項目のポイントの配分の設定を行う画面図である。
【図７ｅ】評価項目のポイントの確認を行う画面図である。
【図８ａ】図１のポリシー作成支援手段によって利用者（売主）の端末に表示される他の例における評価項目選択の画面図である。
【図８ｂ】ポイント対象範囲の設定を行う画面図である。
【図８ｃ】ポイントの分布パターンの設定を行う画面図である。
【図８ｄ】ポイントの最高値の設定を行う画面図である。
【図８ｅ】ポイント設定値の確認の画面図である。
【図９ａ】男性会員の端末に表示されるオークション一覧の画面図である。
【図９ｂ】女性会員の端末に表示されるオークション一覧の画面図である。
【図１０】図１の売買ＤＢのデータ構成図である。
【図１１】アンケート回答データ例の説明図である。
【図１２】図１の売買条件演算手段の処理手順を示すフローチャートである。
【図１３】売買条件演算手段によって作成される入札状況テーブルの例を示す図である。
【図１４】入札状況送信データの例を示す図である。
【図１５】本発明の第２の実施の形態における売買条件演算手段の処理手順を示すフローチャートである。
【図１６】本発明の第２の実施の形態における入札状況テーブルの例を示す図である。
【図１７】本発明の第２の実施の形態における入札状況送信データの例を示す図である。
【図１８】本発明の第２の実施の形態における出品情報ＤＢのデータ構成図である。
【符号の説明】
【００６９】
１ オークションシステム 
２ 利用者端末（売主）
３ 利用者端末（入札者）
４ 通信ネットワーク
１３、２４、３４  送受信部
１４、２３、３３  中央演算処理部
１６  記憶部
２１、３１  入力部
２２、３２  表示部
４３  利用者情報登録手段
４４  出品情報入力手段
４５  入札情報入力手段
４６  売買条件演算手段
４７  入札状況提供手段
４８  ポリシー作成支援手段
５９  送受信処理手段
６１  利用者情報ＤＢ
６２  出品情報ＤＢ
６３  売買ＤＢ
６４  ＷＥＢコンテンツＤＢ
【図１】
2005208776.tif 000003
【図２】
2005208776.tif 000004
【図３】
2005208776.tif 000005
【図４】
2005208776.tif 000006
【図５】
2005208776.tif 000007
【図６】
2005208776.tif 000008
【図７ａ】
2005208776.tif 000009
【図７ｂ】
2005208776.tif 000010
【図７ｃ】
2005208776.tif 000011
【図７ｄ】
2005208776.tif 000012
【図７ｅ】
2005208776.tif 000013
【図８ａ】
2005208776.tif 000014
【図８ｂ】
2005208776.tif 000015
【図８ｃ】
2005208776.tif 000016
【図８ｄ】
2005208776.tif 000017
【図８ｅ】
2005208776.tif 000018
【図９ａ】
2005208776.tif 000019
【図９ｂ】
2005208776.tif 000020
【図１０】
2005208776.tif 000021
【図１１】
2005208776.tif 000022
【図１２】
2005208776.tif 000023
【図１３】
2005208776.tif 000024
【図１４】
2005208776.tif 000025
【図１５】
2005208776.tif 000026
【図１６】
2005208776.tif 000027
【図１７】
2005208776.tif 000028
【図１８】
2005208776.tif 000029